(57)【要約】【課題】粘着マットの適切な交換時期を報知できる交換時期報知装置を提供する。【解決手段】交換時期報知装置は、センサ部１２０と計数処理部１０２と音源部１５０とスピーカ１６０とを備える。センサ部１２０は、検出範囲内を物体が通過したことを検出する。計数処理部１０２は、センサ部１０２が検出した回数を計数回数として保持する。音源部１５０は、計数回数が所定の閾値を超えたときは、交換時期であることを報知する音声信号を出力し、スピーカ１６０が該音声信号に基づき、音声を鳴動する。【選択図】図２
2007319198.tif 000002
【特許請求の範囲】
【請求項１】
検出範囲内を物体が通過したことを検出する検出手段と、
前記検出手段が検出した回数を計数回数として保持する計数手段と、
前記計数回数が所定の閾値を超えたときは、交換時期であることを報知する報知手段と
を備えることを特徴とする交換時期報知装置。
【請求項２】
ユーザ操作による入力を受け付ける入力手段と、
前記入力手段が受け付けた入力が設定指示のときは、該設定指示に基づき、前記所定の閾値の値を設定する設定手段と
を備えることを特徴とする請求項１に記載の交換時期報知装置。
【請求項３】
前記入力手段が受け付けた入力がリセット指示のときは、該リセット指示に基づき、前記計数手段が保持する計数回数を０回に設定するリセット手段を備えることを特徴とする請求項２に記載の交換時期報知装置。
【請求項４】
前記報知手段は、音声を鳴動して交換時期であることを報知し、
前記入力手段が受け付けた入力が音声選択指示のときは、該音声選択指示に基づき、前記報知手段が鳴動する音声を設定する音声設定手段
を備えることを特徴とする請求項１から請求項３のいずれかの項に記載の交換時期報知装置。
【請求項５】
前記検出手段が物体の通過を検出する検出範囲が可変であることを特徴とする請求項１から請求項４のいずれかの項に記載の交換時期報知装置。
【発明の詳細な説明】
【技術分野】
【０００１】
本発明は、交換時期報知装置にかかわり、特に履物の裏の塵埃を取り除くためにクリーンルーム入口の床などに設置された粘着マットの交換時期を報知する交換時期報知装置に関する。
【背景技術】
【０００２】
従来、クリーンルームに入るときに、入る人が履いている履物の裏に付いている塵埃をクリーンルーム内に持ち込んで、クリーンルーム内の清浄度を下げないように、入口の床に粘着マットを敷き、この粘着マットに履物の裏に付いている塵埃を付着させることで、クリーンルーム内に塵埃を持ち込むことを防止している（例えば、特許文献１参照）。
【特許文献１】特開平９−１０８１６９号公報
【発明の開示】
【発明が解決しようとする課題】
【０００３】
しかしながら、従来の粘着マットによるクリーンルームへの塵埃持ち込み防止方法にあっては、使用するに従って付着した塵埃により粘着マットの粘着力が低下するために交換が必要であるが、担当者や掃除業者が目視で粘着マットを確認し、汚れていたら交換するといった方法ととっているために、担当者や掃除業者が見落としたときなど、適切な時期に交換されないことがある。このようなときは、粘着力の低下した粘着マットを使い続けてしまい、結果として、クリーンルーム内に塵埃が持ち込まれてしまうという問題がある。
【０００４】
本発明は、このような事情に鑑みてなされたもので、その目的は、粘着マットの適切な交換時期を報知できる交換時期報知装置を提供することにある。
【課題を解決するための手段】
【０００５】
この発明は上述した課題を解決するためになされたもので、本発明は、検出範囲内を物体が通過したことを検出する検出手段と、前記検出手段が検出した回数を計数回数として保持する計数手段と、前記計数回数が所定の閾値を超えたときは、交換時期であることを報知する報知手段とを備えることを特徴とする交換時期報知装置である。
【０００６】
また、本発明は、上述の交換時期報知装置であって、ユーザ操作による入力を受け付ける入力手段と、前記入力手段が受け付けた入力が設定指示のときは、該設定指示に基づき、前記所定の閾値の値を設定する設定手段とを備えることを特徴とする。
【０００７】
また、本発明は、上述の交換時期報知装置であって、前記入力手段が受け付けた入力がリセット指示のときは、該リセット指示に基づき、前記計数手段が保持する計数回数を０回に設定するリセット手段を備えることを特徴とする。
【０００８】
また、本発明は、上述のいずれかの交換時期報知装置であって、前記報知手段は、音声を鳴動して交換時期であることを報知し、前記入力手段が受け付けた入力が音声選択指示のときは、該音声選択指示に基づき、前記報知手段が鳴動する音声を設定する音声設定手段を備えることを特徴とする。
【０００９】
また、本発明は、上述のいずれかの交換時期報知装置であって、前記検出手段が物体の通過を検出する検出範囲が可変であることを特徴とする。
【発明の効果】
【００１０】
この発明によれば、粘着マットの上を通る人を検出するように検出手段の検出範囲を適切な位置とし、粘着マットの粘着力が弱くなり過ぎない程度の人数を閾値とすることで、本発明の交換時期報知装置は、粘着マットの適切な交換時期を報知することができる。
【発明を実施するための最良の形態】
【００１１】
図１（ａ）（ｂ）に示すように、靴などの履物の裏についている塵埃をクリーンルーム３内に持ち込まないように、クリーンルーム３内に入る人が必ず通る例えばエアーシャワー室４の入口付近の床などに、履物の裏についている塵埃をとる粘着マット２が設置されている。本実施形態の交換時期報知装置１は、この粘着マット２付近の壁面であり、人が操作しやすい高さ（１．３ｍ程度）の壁面に、検出範囲Ａ１が粘着マット２の上にくるように設置される。交換時期報知装置１は、粘着マット２の上を通過する人数をカウントし、所定の人数に達すると音声にて粘着マット２の交換時期であることを、その旨の音声メッセージ発して報知する。
【００１２】
以下、図面を参照して、本発明の実施の形態について説明する。図２（ａ）は、この発明の一実施形態による交換時期報知装置１の構成を示す概略ブロック図である。
１００は、交換時期報知装置１の全体を制御するＣＰＵ（Central Processing Unit）であり、図２（ｂ）に示すように、入力判定処理部１０１、計数処理部１０２、リセット処理部１０３、設定処理部１０４、音声選択処理部１０５を備える。
１１０は、ＣＰＵ１００を動作させるためのプログラムやデータを格納しているＥＥＰＲＯＭ（Electrically Erasable Programmable Read Only Memory）および、ＣＰＵ１００が動作する際のワークメモリとなるＲＡＭ（Random Access Memory）を備えたメモリである。
【００１３】
１２０は、光ビームを投射して、その反射光により距離を測ることで、検出範囲内の物体の有無を検出する反射型赤外線センサを備え、検出範囲内に物体が有ることを検出すると検出信号を出力するセンサ部（検出手段）である。センサ部１２０は、その向きを左右に回転させることで、交換時期報知装置１に対する検出範囲の位置を左右に変更できるように、交換時期報知装置１の筐体に取り付けられている。本実施形態では、センサ部１２０から７０ｃｍ程度離れたところまでの幅４ｃｍ程度の範囲が検出範囲である。センサ部１２０の構造および筐体への取り付け方法については後述する。
１３０は、本交換時期報知装置を操作するための図５に示すＭＯＤＥボタンＢＴ１、ＳＥＴボタンＢＴ２、ＲＥＳＥＴボタンＢＴ３、△ボタンＢＴ４、△ボタンＢＴ５、△ボタンＢＴ６、△ボタンＢＴ７、電源スイッチＢＴ８を備えた入力キー部（入力手段）である。
【００１４】
１４０は、図５に示す４桁の７セグメントＬＥＤ表示器（以下、表示器）Ｄ１により、４桁までの数字を表示する表示部である。
１５０は、粘着マット２の交換時期を報知するための音声種別「１」または「２」の２種類のうち、指定された音声種別の音声信号を出力する音源部である。
１６０は、音源部１５０が出力した音声信号により、音声を鳴動するスピーカである。
なお、音源部１５０とスピーカ１６０とで報知手段として機能する。
【００１５】
入力判定処理部１０１は、ユーザによる入力キー部１３０の操作内容とセンサ部１２０の検出結果とを入力として受け付けて、入力内容に応じて、計数処理部１０２、リセット処理部１０３、設定処理部１０４、音声選択処理部１０５を動作させる。
計数処理部（計数手段）１０２は、カウンターを備え、センサ部１２０から検出信号を受けた入力判定処理部１０１から通知される度に、人が通過したとみなして、カウンターの値（計数回数）を１ずつ増加させるとともに、表示部１４０にカウンターの値を表示させる。また、計数処理部１０２は、カウンターの値が所定の閾値を超えると、設定されている音声種別の音声信号の出力を音源部１５０に指示する。
リセット処理部（リセット手段）１０３は、入力キー部１３０のＲＥＳＥＴボタンＢＴ３が押されたことを受けた入力判定処理部１０１から通知されると、計数処理部１０２のカウンターの値を０に設定する。
【００１６】
設定処理部（設定手段）１０４は、入力キー部１３０のＭＯＤＥボタンＢＴ１が１回押されたことを受けた入力判定処理部１０１から動作開始を通知されると、計数処理部１０２にて用いる閾値を表示部１４０に表示させる。設定処理部１０４は、△ボタンＢＴ４が押されると１０００の位の表示値を１増やし、△ボタンＢＴ５が押されると１００の位の表示値を１増やし、△ボタンＢＴ６が押されると１０の位の表示値を１増やし、△ボタンＢＴ７が押されると１の位の表示値を１増やし、ＳＥＴボタンＢＴ２が押されると表示部１４０に表示している値を計数処理部１０２にて用いる閾値に設定する。なお、△ボタンＢＴ４から△ボタンＢＴ７のいずれかのボタンが押されたときに、該当する位の表示値が「９」になっているときは、１増やす代わりに表示値を「０」にする。
【００１７】
音声選択処理部（音声設定手段）１０５は、入力キー部１３０のＭＯＤＥボタンＢＴ１が２回押されたことを受けた入力判定処理部１０１から動作開始を通知されると、設定されている音声種別の値を表示部１４０の１の位に表示し、△ボタンＢＴ４が押される度に表示値を「１」または「２」に交互に切り換える。ＳＥＴボタンＢＴ２が押されると、表示値を音声種別として設定する。
【００１８】
次に、センサ部１２０の構造と筐体への取付け方を、図３から図５を参照して説明する。図３は、センサ部１２０を構成する部材を示した分解斜視図である。図４はセンサ部１２０の斜視図であり、図５は交換時期報知装置１の斜視図である。
センサ部１２０は、円筒状の支持本体部３０を備えている。支持本体部３０の周面には、支持本体部３０の高さ方向の全長にわたった切り欠き３２が形成されている。また、支持本体部３０の周面のうち、切り欠き３２に対向する位置に矩形の開口部３１が形成されている。さらに、支持本体部３０の下端部であって、開口部３１の下方には、切り欠き３３が形成されている。切り欠き３３の幅寸法は、開口部３１の幅寸法ｄ３と同一に設定されている。
【００１９】
この支持本体部３０は、平板状に形成された蓋部４０と基材部５０とによって支持されている。すなわち、基材部５０の上面に支持本体部３０の下端が固定され、支持本体部３０上端には、蓋部４０が固定されている。この蓋部４０および基材部５０には、支持本体部３０の外周にならった弧部４１、５１が形成されている。
また、支持本体部３０の内部には、支持本体部３０よりも径の小さな円筒状の回転支持部２０が配されている。回転支持部２０の周面には、開口部３１の開口面積よりも小さな開口面積を有する開口部２１が形成されている。開口部２１の幅寸法ｄ２は、開口部３１の幅寸法ｄ３よりも小さくされている。また、回転支持部２０の下端部の周面であって開口部２１の下方の周面には、径方向外方に向けて突出する円柱状の突起部２２が設けられている。そして、回転支持部２０を支持本体部３０内に配すると、突起部２２が切り欠き３３を介して、支持本体部３０の外方に突出するようになっている。さらに、回転支持部２０は、基材部５０の上面に載せられている。そのため、回転支持部２０は、回転支持部２０の軸線Ａを回転中心として、支持本体部３０の内部において、回転するようになっている。
【００２０】
回転支持部２０の内部には、直方体の反射型赤外線センサ１０が固定されている。反射型赤外線センサ１０の前面には、光ビームの投射および反射光の受光をする矩形のセンサ窓１１が設けられている。そして、このセンサ窓１１が開口部２１に一致するようにして、反射型赤外線センサ１０は、回転支持部２０内に固定されている。また、センサ窓１１の幅寸法ｄ１は、開口部２１の幅寸法ｄ２と同一に設定されている。すなわち、センサ窓１１の幅寸法ｄ１は、開口部３１の幅寸法ｄ３よりも小さく設定されている。
【００２１】
このような構成のもと、切り欠き３３を介して突出している突起部２２を操作することにより、回転支持部２０は、軸線Ａを回転中心として回転するようになっている。そして、回転支持部２０を回転させることにより、回転支持部２０内に固定された反射型赤外線センサ１０も回転するようになっている。そして、軸線Ａを回転中心として回転支持部２０を回転させて、回転支持部２０を所定の回転位置に配すると、センサ窓１１が開口部２１、開口部３１を介して、外方に露出するようになっている。
これにより、センサ窓１１は、開口部３１の幅寸法ｄ３の範囲内において、移動することができるようになっている。つまり、センサ窓１１から投射する光ビームの向きおよび反射光の受光部の向きを左右に変えて、検出範囲を変更することができるようになっている。
【００２２】
これにより、図１のように粘着マット２の正面にはドアがあり、真横には壁面がなく、ドアの横などの壁面に交換時期報知装置１を設置した場合でも、回転支持部２０を適切な向きにして、検出範囲Ａ１が粘着マット２の上になるようにすることで、粘着マット２の上を通過する人数をカウントすることができる。そのため、このような位置に設置された粘着マットについても、交換時期を報知することができる。
従って、予め本交換時期報知装置の設置を前提として設計されていないような場所でも、本交換時期報知装置を設置して利用することができる。
【００２３】
次に、本実施形態の交換時期報知装置１の動作を、図６のフローチャートを参照して説明する。
まず、電源スイッチＢＴ８をＯＮにし、電源を入れて動作を開始すると、ＣＰＵ１００の計数処理部１０２は、メモリ１１０のＥＥＰＲＯＭの所定の領域に格納しているカウンター値および閾値を取得してメモリ１１０のＲＡＭの所定の領域に書き込むとともに、このカウンター値を表示部１４０の表示器Ｄ１に表示させる（Ｓ１）。次に、入力判定処理部１０１は、センサ部１２０もしくは入力キー部１３０からの入力を待つ状態である通常監視状態となる（Ｓ２）。
【００２４】
ここで、粘着マットの上、すなわち、センサ部１２０の検出範囲を人が通り、センサ部１２０から検出信号が入力されると、入力判定処理部１０１は、検出信号が入力された旨を計数処理部１０２に通知する。計数処理部１０２は、入力判定処理部１０１からの通知を受けるとカウンター値を１増やし（Ｓ３）、その値をメモリ１１０のＲＡＭの所定の領域に書き込む（Ｓ４）。計数処理部１０２は、カウンター値と閾値を比較し（Ｓ５）、カウンター値が閾値を超えているときは、設定されている音声種別（例えば、「１」）の音声信号を出力するように音源部１５０に通知する。音源部１５０は指示された音声種別「１」の音声信号をスピーカ１６０に出力し、スピーカ１６０は音声信号を受けて、交換時期である旨を報知する音声（例えば、「粘着マットを交換してください」）を鳴動する（Ｓ６）。次に、計数処理部１０２は、更新されたカウンター値を表示部１４０の表示器Ｄ１に表示させ（Ｓ２０）、ステップＳ２に戻り、入力判定処理部１０１は、センサ部１２０もしくは入力キー部１３０からの入力を待つ状態である通常監視状態に再びなる（Ｓ２）。
【００２５】
また、ステップＳ５で、カウンター値が閾値を超えていないときは、ステップＳ２０に遷移して、計数処理部１０２は、更新されたカウンター値を表示部１４０の表示器Ｄ１に表示させ（Ｓ２０）、ステップＳ２に戻り、入力判定処理部１０１は、センサ部１２０もしくは入力キー部１３０からの入力を待つ状態である通常監視状態に再びなる（Ｓ２）。
【００２６】
一方、交換時期である旨の音声を聞いたユーザが粘着マットを交換して、入力キー部１３０のＲＥＳＥＴボタンＢＴ３を押すと、入力判定処理部１０１は、ＲＥＳＥＴボタンＢＴ３が押されたことを受け付ける（Ｓ７）。入力判定処理部１０１は、これをリセット処理部１０３に通知する。リセット処理部１０３は、入力判定処理部１０１からの通知を受けると、計数処理部１０２のカウンター値を「０」に設定し（Ｓ８）、メモリ１１０のＲＡＭの所定の領域に書き込む（Ｓ９）。次に、次に、計数処理部１０２は、メモリ１１０のＲＡＭの所定の領域からステップＳ９にて書き込んだカウンター値「０」を読み出して、表示部１４０の表示器Ｄ１に表示させ（Ｓ２０）、ステップＳ２に戻り、入力判定処理部１０１は、センサ部１２０もしくは入力キー部１３０からの入力を待つ状態である通常監視状態に再びなる（Ｓ２）。
【００２７】
ここで、閾値を設定するためにユーザが入力キー部１３０のＭＯＤＥボタンＢＴ１を１回だけ押すと、入力判定処理部１０１は、ＭＯＤＥボタンＢＴ１が押されたことを受け付ける（Ｓ１０）。入力判定処理部１０１は、これを設定処理部１０４に通知する。設定処理部１０４は、入力判定処理部１０１からの通知を受けると、メモリ１１０のＲＡＭの所定の領域から閾値を読み出し、表示部１４０の表示器Ｄ１に表示させる（Ｓ１１）。ユーザが入力キー部１３０の△ボタンＢＴ４から△ボタンＢＴ７を操作すると、それを受けた設定処理部１０４は、操作内容に応じて表示器Ｄ１に表示する値を変更する（Ｓ１２）。△ボタンＢＴ４から△ボタンＢＴ７を操作した結果、ユーザが閾値として希望する例えば「１０００」という数値が表示器Ｄ１に表示され、ユーザがＳＥＴボタンＢＴ２を押すと、それを受けた設定処理部１０４は、「１０００」を閾値とし、メモリ１１０のＲＡＭの所定の領域に書き込む（Ｓ１３）。次に、計数処理部１０２は、メモリ１１０のＲＡＭの所定の領域からカウンター値（ここでは、ステップＳ９にて書き込んだ「０」）を読み出して、表示部１４０の表示器Ｄ１に表示させ（Ｓ２０）、ステップＳ２に戻り、入力判定処理部１０１は、センサ部１２０もしくは入力キー部１３０からの入力を待つ状態である通常監視状態に再びなる（Ｓ２）。
【００２８】
ここで、報知する音声メッセージを変更するために、ユーザが入力キー部１３０のＭＯＤＥボタンＢＴ１を２回押すと、入力判定処理部１０１は、ＭＯＤＥボタンＢＴ１が２回押されたことを受け付ける（Ｓ１０、Ｓ１５）。入力判定処理部１０１は、これを音声選択処理部１０５に通知する。音声選択処理部１０５は、メモリ１１０のＲＡＭの所定の領域から音声種別（ここでは、ステップＳ６で説明したように「１」）を読み出し、表示部１４０の表示器Ｄ１に表示させる（Ｓ１６）。ユーザが入力キー部１３０の△ボタンＢＴ７を操作すると、それを受けた度に音声選択処理部１０５は、「１」と「２」とを交互に表示器Ｄ１に表示する（Ｓ１７）。その結果、ユーザが閾値として希望する例えば「２」とが表示器Ｄ１に表示され、ユーザがＳＥＴボタンＢＴ２を押すと、それを受けた音声選択処理部１０５は、「２」を音声種別として設定し、メモリ１１０のＲＡＭの所定の領域に書き込む（Ｓ１８）。次に、計数処理部１０２は、メモリ１１０のＲＡＭの所定の領域からカウンター値（ここでは、ステップＳ９にて書き込んだ「０」）を読み出して、表示部１４０の表示器Ｄ１に表示させ（Ｓ２０）、ステップＳ２に戻り、入力判定処理部１０１は、センサ部１２０もしくは入力キー部１３０からの入力を待つ状態である通常監視状態に再びなる（Ｓ２）。
【００２９】
この後、粘着マットの上、すなわち、センサ部１２０の検出範囲を人が通る度に、ステップＳ２、Ｓ３、Ｓ４、Ｓ５、Ｓ２０が繰り返され、計数処理部１０２のカウンター値はカウントアップされ、そのカウンター値が表示部１４０の表示器Ｄ１に表示される。
【００３０】
就業時間終了時などに、交換時期報知装置１の動作を停止させるために、ユーザが入力キー部１３０の電源スイッチＢＴ８をＯＦＦにすると、これを入力判定処理部１０１は受け付けると（Ｓ２１）、計数処理部１０２のカウンター値および閾値を、メモリ１１０のＲＡＭの所定の領域から読み出し、これらの値をメモリ１１０のＥＥＰＲＯＭの所定の領域に書き込む（Ｓ２２）。
【００３１】
これにより、再度、電源スイッチＢＴ８をＯＮにして動作を開始したときに、ステップＳ１にてＥＥＰＲＯＭに書き込まれたカウンター値および閾値を読み出して、動作を開始するため、電源を切ったときの状態から再開することができる。
また、ステップＳ５にて、カウンター値が閾値を超えているときは、ステップＳ６に遷移して、交換時期である旨の音声を鳴動させる。このため、粘着マットを交換して、ＲＥＳＥＴボタンＢＴ３を押すまで、人が通過する度に交換時期である旨の音声を鳴動させることになるので、粘着マットの交換を忘れることがなくなる。
【００３２】
なお、図２（ｂ）における入力判定処理部１０１、計数処理部１０２、リセット処理部１０３、設定処理部１０４、音声選択処理部１０５は専用のハードウェアにより実現されるものであってもよく、また、これらの処理部はメモリおよびＣＰＵ（中央演算装置）により構成され、これらの処理部の機能を実現するためのプログラムをメモリにロードして実行することによりその機能を実現させるものであってもよい。
【００３３】
また、本実施形態において、音源部１５０が出力した音声信号をスピーカ１６０にて鳴動させることで、報知手段として機能させるとして説明したが、ＬＥＤなどの発光手段を設けて、これを点灯させることで、報知手段として機能させてもよい。
【００３４】
また、本実施形態において、センサ部１２０に替えて、外部接点入力部を設けて、この外部接点入力部に、センサ部１２０と同様の機能を備えたセンサ機器を接続してもよい。また、センサ部１２０と外部接点入力部とを備え、計数処理部１０２には、センサ部１２０と外部接点入力部のどちらの検出信号に基づき動作するかを設定可能としてもよい。
【００３５】
また、本実施形態において、音源部１５０とスピーカ１６０とに替えて、外部接点出力部を設けて、この外部接点出力部に、音源部１５０とスピーカ１６０とを組み合わせた機能と同様の機能を備えた報知装置を接続してもよい。また、音源部１５０およびスピーカ１６０と外部接点出力部とを備え、計数処理部１０２には、音源部１５０と外部接点出力部のどちらに音声信号の出力を指示するかを設定可能としてもよい。
【００３６】
以上、この発明の実施形態を、図面を参照して詳述してきたが、具体的な構成はこの実施形態に限られるものではなく、この発明の要旨を逸脱しない範囲の設計等も含まれる。
【産業上の利用可能性】
【００３７】
本発明は、履物の裏の塵埃を取り除くためにクリーンルーム入口の床などに設置された粘着マットの交換時期を通知する交換時期報知装置に用いて好適であるが、これに限られるものではない。
【図面の簡単な説明】
【００３８】
【図１】この発明の一実施形態による交換時期報知装置１の設置状況を示す図である。
【図２】同実施形態における交換時期報知装置１の概略構成を示すブロック図である。
【図３】同実施形態におけるセンサ部１２０を構成する部材を示した分解斜視図である。
【図４】同実施形態におけるセンサ部１２０の斜視図である。
【図５】同実施形態における交換時期報知装置１の斜視図である。
【図６】同実施形態における交換時期報知装置１の動作を説明するフローチャートである。
【符号の説明】
【００３９】
１…交換時期報知装置
２…粘着マット
３…クリーンルーム
４…エアーシャワー室
１０…反射型赤外線センサ
１１…センサ窓
２０…回転支持部
２１…開口部
２２…突起部
３０…支持本体部
３１…開口部
３２…切り欠き
３３…切り欠き
４０…蓋部
４１…弧部
５０…基材部
５１…弧部
１００…ＣＰＵ
１０１…入力判定処理部
１０２…計数処理部（計数手段）
１０３…リセット処理部（リセット手段）
１０４…設定処理部（設定手段）
１０５…音声選択処理部（音声設定手段）
１１０…メモリ
１２０…センサ部（検出手段）
１３０…入力キー部（入力手段）
１４０…表示部
１５０…音源部（報知手段）
１６０…スピーカ（報知手段）
【図１】
2007319198.tif 000003
【図２】
2007319198.tif 000004
【図３】
2007319198.tif 000005
【図４】
2007319198.tif 000006
【図５】
2007319198.tif 000007
【図６】
2007319198.tif 000008